(57)【要約】【課題】断熱性能に優れた外断熱構造の外壁を容易に施工でき、外観やデザイン上の制約を受けることもない有効な外装パネルを提供する。【解決手段】建物の外壁を構成するための外装パネル１であって、パネル本体としてのＰＣ板２の外面側に、予め外装仕上げ材としての押し出し成型板３を取り付け、それらＰＣ板と押し出し成型板との間に断熱材４を積層しておく。外装仕上げ材としての押し出し成型板には、その内面側にＰＣ板に打ち込まれるリブアンカー３ａを一体に形成しておく。外装仕上げ材間の目地に乾式のガスケット６を介装する。【選択図】　　　図１
2004132082.tif 000002
【特許請求の範囲】
【請求項１】
建物の外壁を構成するための外装パネルであって、パネル本体としてのＰＣ板の外面側に予め外装仕上げ材が取り付けられているとともに、それらＰＣ板と外装仕上げ材との間に断熱材が積層され、外装仕上げ材としてはその内面側にＰＣ板に打ち込まれるリブアンカーが形成されているコンクリート系の押し出し成型板が採用されていることを特徴とする外装パネル。
【請求項２】
外装仕上げ材間の目地にガスケットが介装されていることを特徴とする請求項１記載の外装パネル。
【発明の詳細な説明】
【０００１】
【発明の属する技術分野】
本発明は建物の外壁を構成するための外装パネル、特にいわゆる外断熱構造の外壁を施工する際に採用して好適な外装パネルに関する。
【０００２】
【従来の技術】
建物の外壁に対して断熱を行う場合、従来一般には躯体の内側に断熱材を取り付けるいわゆる内断熱構造とすることが通常であったが、内断熱構造では断熱材と躯体との間において内部結露が生じることがあるので、断熱材の剥離、ダニやカビの発生等が問題となる場合がある。そのため、最近においては断熱材を躯体の外側に取り付ける外断熱構造が着目されており、広く普及する気運にある。
【０００３】
従来の外断熱構造の外壁は、躯体を施工した後にその外側にあらためて断熱材を貼り付けたり吹き付ける構造のものが主流であるが、そのような構造では主に大規模建築物や超高層建物の場合には施工性に難があるばかりでなく、外装材を含めた耐震性、耐風性に対する品質を充分に確保できず、断熱材に雨水がしみ込むようなことを確実に防止する必要があるので外装仕上げ材の採用や目地割等の意匠が制約されるものである。そのため、たとえば特公平４−２３０５５号公報に示されるように、外壁用のＰＣ板あるいはＰＣ型枠の外面側に外装仕上げ材を兼ねる断熱材を予め打ち込んだ外断熱外装パネルも提案されている。
【０００４】
【特許文献１】
特公平４−２３０５５号公報
【０００５】
【発明が解決しようとする課題】
しかし、上記公報に示される外断熱外装パネルは、断熱材が外装仕上げ材を兼ねることから、その表面にセラミックスコーティングを施す必要があるし、その素材としては気泡セラミックスや気泡コンクリートに限定されるものであり、したがって外壁のデザインや外観が制約されるし、そのようなコンクリート系の断熱材では必ずしも充分な断熱性能が得られず、広く普及するに至っていない。
【０００６】
上記事情に鑑み、本発明は断熱性能に優れた外断熱構造の外壁を容易に施工でき、外観やデザイン上の制約を受けることもない有効な外装パネルを提供することを目的とする。
【０００７】
【課題を解決するための手段】
請求項１の発明は、建物の外壁を構成するための外装パネルであって、パネル本体としてのＰＣ板の外面側に予め外装仕上げ材が取り付けられているとともに、それらＰＣ板と外装仕上げ材との間に断熱材が積層され、外装仕上げ材としてはその内面側にＰＣ板に打ち込まれるリブアンカーが形成されているコンクリート系の押し出し成型板が採用されていることを特徴とする。
【０００８】
請求項２の発明は、請求項１の発明の外装パネルにおいて、外装仕上げ材間の目地にガスケットが介装されていることを特徴とする。
【０００９】
【発明の実施の形態】
図１および図２は本発明の外装パネルの実施形態を示すものである。本実施形態の外装パネル１は、パネル本体としてのＰＣ板２（プレキャストコンクリート版）の外面側に、予め外装仕上げ材としての押し出し成型板３が一体に取り付けられているとともに、それらＰＣ板２と押し出し成型板３の間に断熱材４が予め積層された構造のいわゆるサンドイッチパネルであって、この外装パネル１を建物の外周部に取り付けることのみで外断熱構造の外壁を形成できるものである。
【００１０】
この外装パネル１におけるＰＣ板２は、これ自体が従来一般の外壁用ＰＣ板と同様に外壁の主体をなすもので、鉄筋５が格子状に数段（図示例のものは２段）にわたって配筋されている。外装仕上げ材としての押し出し成型板３はコンクリート系のものであって、本例では幅５００ｍｍ程度の長尺帯板状のものが採用され、その内面側には２条のリブアンカー３ａが一体に成型されていて、それらリブアンカー３ａの先端部がＰＣ板２に打ち込まれて定着されることでＰＣ板２に対して確実強固に一体化されるものとなっている。断熱材４としては各種のものが採用可能であるが、たとえばウレタンフォーム吹き付けや、ウレタンフォームボード貼りによるもの、ポリスチレンフォームボード貼りによるもの等が好適に採用可能である。
【００１１】
また、図２に示すように、押し出し成型板３間の目地にはガスケット６が介装されている。図示例のガスケット６は、押し出し成型板３の内面に密着して二次シーリング材７により固着せしめられる頭部６ａと、押し出し成型板３の小口面に対して押圧状態で密着せしめられる２段の舌片６ｂを有するもので、このガスケット６のみで優れた止水性能と目地周辺の汚れ防止性能を長期にわたって維持し得るものである。なお、ガスケット６の素材としては、たとえばクロロプレン（ＣＲ）、クロロスルホン化ポリエチレン（ＣＳＭ）、エチレンプロピレンジエンモノマー（ＥＰＤＭ）、シリコーン（ＳＲ）等が好適に採用可能である。
【００１２】
上記の外装パネル１を製造するには、ＰＣ板２を成型するための型枠の内側に押し出し成型板３を裏返しにして（内面側を上面とした状態で）並べて敷き込み、それら押し出し成型板３間にガスケット６を装着して二次シーリング材７により固着する。なお、図２に示すように、押し出し成型板３の内面側の表面には予め裏面処理材８を塗布しておくと良い。そして、押し出し成型板３上に吹き付け等により所定厚みの断熱材４を形成するが、その際にはリブアンカー３ａの先端部を断熱材４よりも突出せしめておく。また、ウレタンフォームやポリスチレンフォームのボードを採用する場合には、予め押し出し成型板３の裏面に接着しておき、これを型枠に敷き込み、ガスケット６を装着後に接続部の断熱処理をする。しかる後に、型枠内に鉄筋５をセットし、コンクリートを打設してＰＣ板２を成型し、所定の養生期間を経て型枠を解体すれば、リブアンカー３ａの先端部が自ずとＰＣ板２に対して定着されて外装パネル１の完成となる。なお、この外装パネル１の形状や各部の寸法は任意であって適宜設計すれば良いが、たとえばＰＣ板２の厚さは１８０ｍｍ程度、断熱材４の厚さは４０ｍｍ程度、外装仕上げ材としての押し出し成型板３の厚さは１０ｍｍ程度、したがって全体の厚さは２３０ｍｍ程度とすることが一般的である。
【００１３】
上記の外装パネル１は、これを建物に取り付けることのみで外壁の躯体と外装仕上げ材と断熱材の施工が自ずとなされるので、従来のように外壁を施工した後にあらためて行っていた断熱材の取り付け作業や外装仕上げ作業を省略でき、外断熱構造の外壁の施工を極めて簡便に実施することができ、工期短縮と工数削減に大きく寄与し得るものである。
【００１４】
特に、上記の外装パネル１は、ＰＣ工場において効率的にかつ精度良く製造可能であるし、汎用の断熱材４と汎用の押し出し成型板３を用いて所定規格で大量生産することで充分に安価なものとすることが可能であり、また断熱材４の素材やその厚みを任意に設定することで所望の断熱性能を確保することができるものである。
【００１５】
また、外装仕上げ材として所定規格で工場製作された様々な押し出し成型板３を採用可能であるので、優れた仕上げ精度が確保できることはもとより、上述した従来の外断熱外装パネルのように外壁のデザインや外観が制約を受けることもなく、設計上の自由度を高めることができる。なお、従来においてコンクリート系の押し出し成型板を外装仕上げ材として使用する場合には、単なる平板状のものを躯体に対してビス止めすることが一般的であったが、その場合にはビスにより外観が損なわれるし、ビスに起因する錆や汚れの発生も懸念されるが、上記のように内面側に設けたリブアンカー３ａをＰＣ板２に打ち込むことで押し出し成型板３をＰＣ板２に一体化することでそのような懸念は全くないし、押し出し成型板３とＰＣ板２およびそれらの間に積層される断熱材４とを完全に一体化することができる。
【００１６】
さらに、押し出し成型板３間の目地における止水性能と汚れ防止性能はガスケット６により充分に確保でき長期にわたって維持できることはもとより、そのようなガスケット６の採用により、目地部にシーリング材を充填する従来一般の湿式シーリング工法による場合に較べてコスト的にも有利である。特に、湿式シーリング工法による場合にはＰＣ板２を成型した後にそれを反転させて目地部に対して一次シーリングを行う必要があるが、上記のガスケット６を採用することでそのような面倒な作業は一切不要である。
【００１７】
【発明の効果】
請求項１の発明の外装パネルは、パネル本体としてのＰＣ板の外面側に、外装仕上げ材としてのコンクリート系の押し出し成型板をリブアンカーにより打ち込み、それらＰＣ板と押し出し成型板との間に断熱材を積層した構成であるから、充分な断熱性能を有することはもとより、ＰＣ工場において効率的にかつ精度良くしかも充分に安価に製造可能であり、外壁のデザインや外観が制約を受けることもなく、外装材を含めた耐震性、耐風性に対する品質を充分に確保することができ、これを採用することで優れた断熱性能を有する外断熱構造の外壁を極めて簡便に施工することができて工期短縮と工数削減に大きく寄与でき、大規模建築物や超高層建物の場合にも支障なく適用できる。
【００１８】
請求項２の発明は、外装仕上げ材間の目地に止水性を確保するためのガスケットを介装しているので、断熱材に雨水がしみ込むようなことを防止できて優れた止水性能を長期にわたって維持できるし、従来一般の湿式シーリング工法による場合に較べて外装パネルをより容易に製造でき、コスト的にも有利である。
【図面の簡単な説明】
【図１】本発明の実施形態である外装パネルの断面図である。
【図２】同、目地部（図１におけるＩＩ部）の拡大図である。
【符号の説明】
１　外装パネル
２　ＰＣ板（パネル本体）
３　押し出し成型板（外装仕上げ材）
３ａ　リブアンカー
４　断熱材
５　鉄筋
６　ガスケット
６ａ　頭部
６ｂ　舌片
７　二次シーリング材
８　裏面処理材
【図１】
2004132082.tif 000003
【図２】
2004132082.tif 000004